(57)【要約】【課題】複数のＬＡＮから構成されるネットワークにおいて、各ＬＡＮに接続された各クライアント端末の状況変化に柔軟に対応することができる中継通信システム等の提供を目的とする。【解決手段】異なるＬＡＮに接続されたクライアント端末Ｔ間で共有するリソースが、異なるクライアント端末Ｔから同時に登録されている場合に、リソースの操作指示を受信した中継サーバＲは、異なるクライアント端末Ｔのうち、いずれかのクライアント端末Ｔに対して、異なるクライアント端末Ｔの状況変化に柔軟に対応して、リソースの操作指示を中継することができる。【選択図】図１
2008154101.tif 000002
【特許請求の範囲】
【請求項１】
ＬＡＮに接続されているとともに、他のＬＡＮに接続されている中継サーバと通信可能な中継サーバであって、
同一のＬＡＮに接続されているクライアント端末の情報を含むアカウント情報を記憶するアカウント情報登録部と、
相互に通信を許可する一群の中継サーバの情報を含む中継グループ情報を記憶する中継グループ情報登録部と、
リソースの情報と、前記リソースを共有するクライアント端末の情報と、前記リソースの実体の操作が可能なオーナクライアント端末の情報と、を含む共有リソース情報を記憶する共有リソース情報登録部と、
前記アカウント情報登録部に記憶されているクライアント端末から、前記共有リソース情報に基づいて、他のＬＡＮに接続されているクライアント端末が操作可能なリソースについての操作指示を受け付けると、前記中継グループ情報に基づいて、そのリソースに対する操作を中継するリソース操作中継部と、
を備え、
前記共有リソース情報登録部は、
一のリソースについて複数のオーナクライアント端末から登録要求を受けた場合、前記一のリソースに対して前記複数のオーナクライアント端末の情報を対応付けて記憶する手段、
を含むことを特徴とする中継サーバ。
【請求項２】
請求項１に記載の中継サーバにおいて、
前記リソース操作中継部は、
前記複数のオーナクライアント端末のうち、いずれかのオーナクライアント端末に対して、前記一のリソースに対する操作を中継する手段、
を含むことを特徴とする中継サーバ。
【請求項３】
請求項２に記載の中継サーバにおいて、
前記リソース操作中継部は、
前記複数のオーナクライアント端末のうち、前記一のリソースの実体の操作が不可能なオーナクライアント端末に対して、前記一のリソースに対する操作を中継しない手段、
を含むことを特徴とする中継サーバ。
【請求項４】
請求項３に記載の中継サーバにおいて、
前記共有リソース情報登録部は、
前記複数のオーナクライアント端末のすべてが、前記中継グループ情報から削除された場合、前記共有リソース情報から前記一のリソースに関する情報を削除する手段、
を含むことを特徴とする中継サーバ。
【発明の詳細な説明】
【技術分野】
【０００１】
本発明は、ワイドエリアネットワーク（ＷＡＮ）を越えて、他のローカルエリアネットワーク（ＬＡＮ）内の端末との通信を可能とする中継サーバおよび中継通信システムに関する。特に、あるＬＡＮ内の端末から、他のＬＡＮ内の端末が保有しているリソースを操作する技術に関する。
【背景技術】
【０００２】
ＶＰＮ（Ｖｉｒｔｕａｌ  Ｐｒｉｖａｔｅ  Ｎｅｔｗｏｒｋ）と呼ばれる通信技術がある。この通信技術を利用すれば、遠隔地にある他のＬＡＮを、あたかも直接接続されているネットワークのように利用することができる。例えば、地域ごとに設けられた複数の支社のＬＡＮに接続された端末間でインターネットを越えて通信することができる。
【０００３】
この種の技術に関しては、これまでも様々なシステムが提案されている（例えば、特許文献１）。
【０００４】
【特許文献１】特開２００２−２１７９３８号公報
【発明の開示】
【発明が解決しようとする課題】
【０００５】
しかしながら、この種のシステムは、ネットワークを仮想的に構築する関係上、硬直的なシステムになり易い。そのため、拡張性、柔軟性のあるシステムを構築することは容易でなく、これまでに提案されているシステムも、機能やコスト等、それぞれに一長一短が認められる。
【０００６】
例えば、同一のＬＡＮ内であれば、通常同じプロトコルのもとでリソースが管理され、システム構成もそれほど複雑でないため、簡単に複数の端末間でリソースを共有等することができる。しかし、通信システムがＷＡＮを越えて複数のＬＡＮ間にわたる場合には、フォルダやファイルなどのリソースを複数の端末で共用したい、あるいは、ある端末から他の端末が保有しているファイルを削除等したいと思っても、容易には対応できない。それぞれのＬＡＮで用いられているプロトコルが異なっている場合はなお更である。
【０００７】
また、各端末が保有しているリソースは、削除や移動等によって絶えず変化するにも関わらず、これらの変化に動的に対応させることも容易でない。さらに、それらのリソースを保有している各端末の状況変化に動的に対応させることも容易ではない。
【０００８】
そこで、本発明は前記問題点に鑑み、異なるＬＡＮに接続され、異なるプロトコルで管理されている端末間でも、各端末が必要なときに必要な相手とリソースを共有したり、リソースを操作したりすることができ、運用が容易な中継通信システムおよびそのシステムに用いられる中継サーバの提供を目的とする。拡張性、柔軟性に優れ、リソースの移動や各端末の状況変化等にも対応可能な動的な中継通信システム等の提供を目的とする。
【課題を解決するための手段】
【０００９】
上記課題を解決するため、請求項１記載の発明は、ＬＡＮに接続されているとともに、他のＬＡＮに接続されている中継サーバと通信可能な中継サーバであって、同一のＬＡＮに接続されているクライアント端末の情報を含むアカウント情報を記憶するアカウント情報登録部と、相互に通信を許可する一群の中継サーバの情報を含む中継グループ情報を記憶する中継グループ情報登録部と、リソースの情報と、前記リソースを共有するクライアント端末の情報と、前記リソースの実体の操作が可能なオーナクライアント端末の情報と、を含む共有リソース情報を記憶する共有リソース情報登録部と、前記アカウント情報登録部に記憶されているクライアント端末から、前記共有リソース情報に基づいて、他のＬＡＮに接続されているクライアント端末が操作可能なリソースについての操作指示を受け付けると、前記中継グループ情報に基づいて、そのリソースに対する操作を中継するリソース操作中継部と、を備え、前記共有リソース情報登録部は、一のリソースについて複数のオーナクライアント端末から登録要求を受けた場合、前記一のリソースに対して前記複数のオーナクライアント端末の情報を対応付けて記憶する手段、を含むことを特徴とする。
【００１０】
請求項２記載の発明は、請求項１に記載の中継サーバにおいて、前記リソース操作中継部は、前記複数のオーナクライアント端末のうち、いずれかのオーナクライアント端末に対して、前記一のリソースに対する操作を中継する手段、を含むことを特徴とする。
【００１１】
請求項３記載の発明は、請求項２に記載の中継サーバにおいて、前記リソース操作中継部は、前記複数のオーナクライアント端末のうち、前記一のリソースの実体の操作が不可能なオーナクライアント端末に対して、前記一のリソースに対する操作を中継しない手段、を含むことを特徴とする。
【００１２】
請求項４記載の発明は、請求項３に記載の中継サーバにおいて、前記共有リソース情報登録部は、前記複数のオーナクライアント端末のすべてが、前記中継グループ情報から削除された場合、前記共有リソース情報から前記一のリソースに関する情報を削除する手段、を含むことを特徴とする。
【発明の効果】
【００１３】
請求項１記載の発明は、異なるＬＡＮに接続された端末間で共有するリソースが、異なる端末からも登録される場合がある。この場合に、異なる端末の情報をリソースの情報の中に追加することが可能である。
【００１４】
請求項２記載の発明は、ある端末からリソースに対する操作指示がなされると、その端末が接続されている中継サーバが、リソースの実体の操作が可能な複数の端末のいずれかに対して、リソースに対する操作指示を中継することが可能である。
【００１５】
請求項３記載の発明は、リソースの実体の操作が可能な複数の端末のうち、いずれかの端末がログオフされている場合、または、リソースを共有する端末のグループから除外されている場合がある。これらの場合に、ある端末からリソースに対する操作指示がなされると、その端末が接続されている中継サーバは、上述したいずれかの端末に対しては、リソースに対する操作指示を中継しないことが可能である。
【００１６】
請求項４記載の発明は、リソースの実体の操作が可能な複数の端末のすべてが、リソースを共有する端末のグループから除外されている場合がある。この場合に、複数の端末のすべてが保有していたリソースを、端末間で共有するリソースから削除することが可能である。
【発明を実施するための最良の形態】
【００１７】
＜中継通信システムの全体構成＞
以下、図面を参照しつつ本発明の実施の形態について説明する。図１は、本発明に係る中継通信システムの全体構成を例示したものである。図１に示すように、本中継通信システムは、ＷＡＮに接続された複数のＬＡＮで構成されている。そして、本中継通信システムは、外部サーバＳ、中継サーバＲ、通信装置Ｔ、ファイルサーバＦなどを備えている。なお、ここでは、外部サーバＳを利用した実施の形態を例示したが、外部サーバＳを利用せず、中継サーバＲ間で直接通信する形態であってもよい。通信プロトコルとしては、ＳＩＰ（Ｓｅｓｓｉｏｎ  Ｉｎｉｔｉａｔｉｏｎ  Ｐｒｏｔｏｃｏｌ）が好適に利用でき、本実施の形態ではこれを用いて説明する。
【００１８】
ＷＡＮ（Ｗｉｄｅ  Ａｒｅａ  Ｎｅｔｗｏｒｋ）は、異なるＬＡＮを接続するネットワークである。本実施の形態では、ＷＡＮとしてインターネットを例示しているが、必ずしもこれに限定されるものでなく、これに類するその他のネットワークを適用することもできる。
【００１９】
ＬＡＮ（Ｌｏｃａｌ  Ａｒｅａ  Ｎｅｔｗｏｒｋ）は、限定された場所で構築される比較的小規模なネットワークである。ＬＡＮは複数存在し、それぞれ物理的に離れた場所に構築されている。例えば、本実施の形態であれば、東京の支社ＡにＬＡＮ１が構築され、大阪、名古屋、福岡の各支社Ｂ、Ｃ、ＤにＬＡＮ２、３、４がそれぞれ構築されているような場合である。そして、これら４つのＬＡＮ１、２、３、４が、グローバルなネットワークであるインターネットにそれぞれ接続されている。もちろん、ＬＡＮの数は複数であればよく、４つに限られるものではない。
【００２０】
＜外部サーバ＞
外部サーバＳは、各ＬＡＮに配置された中継サーバＲ間での通信に用いられる設備であり、インターネット上に設置されている。ここでの外部サーバＳは、ＳＩＰサーバとしての機能を備えている。具体的には、外部サーバＳは、ＳＩＰメソッドやレスポンスなどを中継するＳＩＰプロキシーサーバとしての機能や、中継サーバＲのアカウントを登録するＳＩＰレジストラサーバとしての機能を備える。外部サーバＳは一台に限らず、複数台で分散的に機能するものであってもよい。なお、ＳＩＰ以外のプロトコルを利用する場合には、そのプロトコルに基づいて直接中継サーバＲ間の通信を制御すれば足り、ＳＩＰサーバとして機能する外部サーバＳは必ずしも設ける必要はない。
【００２１】
図２に、外部サーバＳの機能ブロック図を示す。図２に示すように、外部サーバＳは、ＷＡＮインタフェース２０１、制御部２０２、中継サーバアカウント情報データベース（ＤＢ）２０３などを備えている。
【００２２】
ＷＡＮインタフェース２０１は、グローバルＩＰアドレスを利用して、インターネットに接続された中継サーバＲ等の各装置と通信を行うインタフェースである。中継サーバアカウント情報ＤＢ２０３は、登録要求のあった中継サーバＲのアカウントをグローバルＩＰアドレスと対応付けて管理するデータベースである。制御部２０２は、ＷＡＮインタフェース２０１を介して行う様々な通信を制御する処理部であり、ＴＣＰ／ＩＰやＵＤＰ、ＳＩＰなどのプロトコルに従った通信処理を制御する。例えば、制御部２０２は、各中継サーバＲから送信される各中継サーバＲのアカウントを受信し、中継サーバアカウント情報ＤＢ２０３に登録する処理や、中継サーバＲから送信された様々なＳＩＰメソッドやレスポンスなどの通信データを他の中継サーバＲに中継する処理などを実行する。
【００２３】
＜通信装置＞
通信装置Ｔは、ユーザが直接操作できるクライアント端末である（以下、単にクライアント端末Ｔという）。例えば、ユーザによって日々の業務に利用されるパーソナルコンピュータ（ＰＣ）等がクライアント端末Ｔに該当する。通常ＬＡＮ内には多数のクライアント端末Ｔが存在するが、本実施の形態では、ＬＡＮ１にクライアント端末１Ａ、１Ｂが接続されており、ＬＡＮ２にクライアント端末２Ａ、２Ｂが、ＬＡＮ３にクライアント端末３Ａ、３Ｂが、ＬＡＮ４にクライアント端末４Ａ，４Ｂがそれぞれ接続されている場合を示している。各クライアント端末Ｔには、同一のＬＡＮの中でのみユニークに管理されたプライベートＩＰアドレスが付与される。
【００２４】
図３にクライアント端末Ｔの機能ブロック図を示す。図３に示すように、クライアント端末Ｔは、ＬＡＮインタフェース６０１、制御部６０２、リソース記憶部６０３、共有リソース情報データベース（ＤＢ）６０４、表示部６０５などを備えている。
【００２５】
ＬＡＮインタフェース６０１は、プライベートＩＰアドレスを利用して、同一のＬＡＮに接続された中継サーバＲやファイルサーバＦ等の各装置と通信を行うインタフェースである。リソース記憶部６０３は、そのクライアント端末Ｔが操作可能なファイルやフォルダ等のリソースの実体を記憶する。共有リソース情報データベース（ＤＢ）６０４は、そのクライアント端末Ｔが保有しているリソースの情報と、そのリソースを共有するクライアント端末Ｔのアカウントの情報とを含め、各クライアント端末Ｔが保有している共有リソースの情報を記述した共有リソース情報１２０を記憶する。表示部６０５は、中継グループ情報１００や共有リソース情報１２０の内容をビジュアルに表示する。制御部６０２は、ＬＡＮインタフェース６０１を介して行う様々な通信を制御する処理部であり、ＴＣＰ／ＩＰやＵＤＰ、ＳＩＰなどのプロトコルに従った通信処理を制御する。
【００２６】
例えば、制御部６０２は、リソース記憶部６０３に記憶されているリソースの移動や変更、削除等を制御する処理や、中継サーバＲから共有リソース情報１２０を受信する処理、共有リソース情報１２０の内容を表示部６０５と協働して表示させる処理、リソースの操作指示を受け付けて、そのリソースが直接操作可能か否かを判断する処理、共有リソース情報１２０を中継サーバＲに登録する処理などを実行する。
【００２７】
＜中継サーバ＞
中継サーバＲは、各ＬＡＮにそれぞれ一台配置されている。ここでは、ＬＡＮ１には中継サーバＲ１が配置されており、ＬＡＮ２には中継サーバＲ２が、ＬＡＮ３には中継サーバＲ３が、ＬＡＮ４には中継サーバＲ４が配置されている。
【００２８】
中継サーバＲは、ＬＡＮだけでなくインターネットにも接続されており、同一のＬＡＮに接続されている各クライアント端末Ｔと通信可能であるとともに、外部サーバＳを介して他のＬＡＮに接続された中継サーバＲと通信可能となっている。そのため、各中継サーバＲには、それぞれプライベートＩＰアドレスに加えて、グローバルＩＰアドレスが付与されている。
【００２９】
図４に、各中継サーバＲの機能ブロック図を示す。図４に示すように、中継サーバＲは、ＬＡＮインタフェース５０１、ＷＡＮインタフェース５０２、制御部５０３、アカウント情報データベース（ＤＢ）５０４、中継グループ情報データベース（ＤＢ）５０５、共有リソース情報データベース（ＤＢ）５０６などを備えている。
【００３０】
ＬＡＮインタフェース５０１は、プライベートＩＰアドレスを利用して、ＬＡＮに接続されたクライアント端末Ｔ等との通信を行うインタフェースである。例えば、ＬＡＮ１であれば、中継サーバＲ１は、ＬＡＮインタフェース５０１を利用して、各クライアント端末１Ａ、１Ｂと通信を行う。ＷＡＮインタフェース５０２は、グローバルＩＰアドレスを利用して、インターネットに接続された外部サーバＳ等の各装置と通信を行うインタフェースである。なお、本実施の形態においては、中継サーバＲがＷＡＮインタフェース５０２を備える構成としているが、インターネットとの接続はルータが行い、その配下に中継サーバＲを設置する形態であってもよい。
【００３１】
アカウント情報ＤＢ５０４は、登録要求のあったクライアント端末ＴのアカウントをプライベートＩＰアドレスと対応付けて管理するデータベースである。中継グループ情報ＤＢ５０５は、アカウント情報ＤＢに登録されているクライアント端末Ｔが関連する中継グループ情報１００を管理するデータベースである。共有リソース情報ＤＢ５０６は、アカウント情報ＤＢに登録されているクライアント端末Ｔが関連する共有リソース情報１２０を管理するデータベースである。
【００３２】
制御部５０３は、ＬＡＮインタフェース５０１およびＷＡＮインタフェース５０２を介して行う様々な通信を制御する処理部であり、ＴＣＰ／ＩＰや、ＵＤＰ、ＳＩＰなどのプロトコルに従った様々な通信処理を制御する。例えば、制御部５０３は、自装置のアカウントを外部サーバＳに送信して、登録要求する処理や、同一のＬＡＮに接続されているクライアント端末Ｔから送信されるアカウントをアカウント情報ＤＢ５０４に登録する処理、中継グループ情報１００を作成して中継グループ情報ＤＢ５０５に記憶する処理、共有リソース情報１２０を作成して共有リソース情報ＤＢ５０６に記憶する処理などを実行している。
【００３３】
次に、本中継通信システムで扱われる情報である中継グループ情報１００、共有リソース情報１２０について説明する。
【００３４】
＜中継グループ情報＞
中継グループ情報１００は、相互に接続を許可する中継サーバＲの情報を記録したものであり、各中継サーバの中継グループ情報ＤＢ５０５に記憶されている。
【００３５】
中継グループ情報１００は、通常、中継通信システムの初期に設定される。中継グループ情報１００は、いずれかの中継グループ情報１００に変更が生じた場合に、自動的にその内容が更新される変更通知設定が行われており、中継サーバＲやクライアント端末Ｔのアカウントが変動しても、動的に対応できるようになっている。
【００３６】
その中継グループ情報１００の一例を図５に示す。図５は、中継サーバＲ１を基点に３つの中継サーバＲ１、Ｒ２、Ｒ３間で情報を交換することにより作成され、それぞれの中継グループ情報ＤＢ５０５に記憶される中継グループ情報１００を示している。そこでの中継グループ情報１００は、１つのグループ識別情報１０１と、相互に接続を許可する３つの中継サーバＲ１、Ｒ２、Ｒ３の情報（中継アカウント情報）１０２とで構成されている。なお、図１において、ＬＡＮ４（中継サーバＲ４）は、ここではアカウントの登録が行われていないため、ネットワークに接続しておらず、ここで説明している通信サービスに参加することはできない。
【００３７】
グループ識別情報１０１は、その中継グループ情報１００を識別するための情報であり、中継グループ情報が作成される度に、異なるＩＤが付与されて一意に識別できる構成となっている。したがって、オペレータ等は、このグループ識別情報１０１によって中継グループを特定することができ、グループ構成の変更等を簡単に行うことができる。
【００３８】
中継アカウント情報１０２は、中継サーバＲのアカウントと、その中継サーバＲと同一のＬＡＮに接続されて、中継サーバＲに登録されているクライアント端末Ｔのアカウントなどの情報で構成されている。中継サーバＲのアカウントには、それぞれ具体的な名称が付与されており、ユーザの識別が容易になっている。各クライアント端末Ｔのアカウントにも同様にそれぞれ具体的な名称が付与されている。例えば、中継サーバＲ１（Ｒｅｌａｙ−ｓｅｒｖｅｒ１）の中継アカウント情報１０２であれば、中継サーバＲ１のアカウント（ｒｅｌａｙ−ｓｅｒｖｅｒ１＠ｎｅｔ）に対して名称（支社Ａ）１０４が付与されている。そして、同一のＬＡＮに接続されているクライアント端末Ｔの各アカウント（例えば、ｕｓｅｒ１Ａ＠ａｃｃｏｕｎｔ）とその各名称（例えば、ｔｅｒｍｉｎａｌ１Ａ）１０５が付与されているのである。なお、符号１０３は、「営業部」や「開発部」等、そのクライアント端末Ｔの所属を示す識別データである。
【００３９】
以上のように、中継グループ情報１００は、中継グループ情報ごとに一意に識別可能に作成されており、相互に接続を許可する一群の中継アカウント情報１０２を含むものである。そして、その中継アカウント情報１０２には、各中継サーバＲのアカウント、およびこれと同一のＬＡＮに配置され、登録されているクライアント端末Ｔのアカウントとが含まれているため、中継グループ情報１００を参照すれば、どのＬＡＮとどのＬＡＮとがグループとなっているのか、そしてそれらのＬＡＮにはどのような中継サーバＲやクライアント端末Ｔが登録されているのかを知ることができる。
【００４０】
＜共有リソース情報＞
共有リソース情報１２０は、相互にファイルやフォルダ等のリソースを共有する複数のクライアント端末Ｔの情報と、共有するリソースの情報とを含む情報であって、中継サーバの共有リソース情報ＤＢ５０６、あるいはクライアント端末Ｔの共有リソース情報ＤＢ６０４に記憶される情報である。
【００４１】
共有リソース情報１２０の一例を図６に示す。図６は、クライアント端末１Ａの共有リソース情報ＤＢ６０４に記憶される共有リソース情報１２０を例示したものである。この共有リソース情報１２０は、クライアント端末１Ａに関する共有リソース情報１２０であることを示すアカウント識別情報１２１と、そのクライアント端末１Ａが関連する個別共有リソース情報１２２とで構成されている。個別共有リソース情報１２２は、共有リソース識別情報１２３と、ファミリーアカウント情報１２４と、ファミリーリソース情報１２５などで構成されている。なお、図６では、クライアント端末１Ａが関連する単一のリソース共有グループが形成されているため、この共有リソース情報１２０は、単一の個別共有リソース情報１２２を含む構成となっている。しかし、複数の異なるリソース共有グループが形成されている場合も考えられる。この場合には、共有リソース情報１２０は、複数の個別共有リソース情報１２２を含む構成となる。
【００４２】
共有リソース識別情報１２３は、その個別共有リソース情報１２２を識別するための情報であり、個別共有リソース情報１２２が作成される度に、異なるＩＤが付与されて一意に識別できる構成となっている。したがって、ユーザ等は、共有リソース識別情報１２３によって、個別共有リソース情報１２２を特定することができ、簡単にその内容を編集等することができる。
【００４３】
ファミリーリソース情報１２５は、クライアント端末Ｔが保有しているファイルやフォルダなどのリソースの実体を示すリソース情報１２６の集合体である。各リソース情報１２６は、共有するリソースの実体の名称の情報（例えば、ｒｅｓｏｕｒｃｅ  ｎａｍｅ＝“ｆｉｌｅ００２．ｐｄｆ”）と、そのリソースの実体の操作が可能なクライアント端末Ｔ（オーナクライアント端末）のアカウントの情報（例えば、ｏｗｎｅｒ＝“ｕｓｅｒ２Ａ＠ａｃｃｏｕｎｔ”）と、そのリソースの実体の所在を示すアドレスの情報（たとえば、ｖａｌｕｅ＝“ｃ：／ｆｉｌｅ００２．ｐｄｆ”）とで構成されている。
【００４４】
ファミリーアカウント情報１２４は、ファミリーリソース情報１２５で示されているリソースの実体を共有するクライアント端末Ｔのアカウント（例えば、ｕｓｅｒ１Ａ＠ａｃｃｏｕｎｔ）の集合体である。ファミリーアカウント情報１２４は、オーナクライアント端末Ｔと、オーナクライアント端末を介して間接的にリソースの実体の操作が可能なクライアント端末Ｔ（ユーザクライアント端末）とで構成されている。ユーザクライアント端末Ｔは、直接的にリソースの実体を操作することはできないが、オーナクライアント端末Ｔを介して間接的にリソースを操作することが可能なクライアント端末Ｔである。
【００４５】
以上のように構成された共有リソース情報１２０を参照することで、リソースを共有するクライアント端末Ｔを特定することができ、そのリソースの種類や所在を知ることができるようになっている。
【００４６】
共有リソース情報１２０は、例えば、クライアント端末Ｔによって登録処理される。すなわち、クライアント端末Ｔは、そのクライアント端末Ｔが直接的あるいは間接的に操作可能なリソースの情報（リソース情報１２６）や、そのリソースを共有する他のクライアント端末Ｔのアカウントの情報を、同一のＬＡＮに接続されている中継サーバＲに登録する手段を備えている。したがって、オペレータは、クライアント端末Ｔの表示部６０５を通じて、容易に共有リソース情報１２０を作成、変更することができる。
【００４７】
＜異なる端末から登録された同一リソースに対する操作＞
｛初期状態の中継グループ情報および共有リソース情報｝
図１で示した中継通信システムにおいて、異なるＬＡＮに接続されたクライアント端末Ｔ間で共有するリソースが、異なるクライアント端末Ｔからともに登録されている場合がある。この場合に、そのリソースの操作指示がどのように行われるのかを説明する。
【００４８】
図７、図８、図１１は、本実施の形態に係る通信処理のシーケンス図である。図７、図８、図１１で示したＳは、シーケンスのステップＳを表わしており、図７、図８、図１１の順序に従って、時間が経過している。
【００４９】
図５および図６は、図７で示したシーケンスが開始される直前における、初期状態（Ｐ１）の中継グループ情報１００Ｐ１および共有リソース情報１２０Ｐ１の内容を示す図である。
【００５０】
中継グループ情報１００Ｐ１には、中継サーバＲの状態情報（ｓｔａｔｕｓ）１０６Ｐ１およびクライアント端末Ｔの状態情報（ｓｔａｔｕｓ）１０７Ｐ１が記載されている。例えば、中継サーバＲ１の状態情報に記載された“ｏｋ”は、中継サーバＲ１が操作可能であることを示している。また、クライアント端末１Ａ、１Ｂの状態情報に記載された“ｌｏｇｏｎ”は、クライアント端末１Ａ、１Ｂがログオンされていることを示している。
【００５１】
個別共有リソース情報１２２Ｐ１には、リソースの状態情報（ｓｔａｔｕｓ）１２７Ｐ１が記載されている。例えば、“ｆｉｌｅ００２．ｐｄｆ”の状態情報に記載された“ｏｋ”は、“ｆｉｌｅ００２．ｐｄｆ”の実体にアクセス可能であることを示している。
【００５２】
また、ファミリーリソース情報１２５Ｐ１は、クライアント端末１Ａ、１Ｂが、“ｆｉｌｅ００１．ｐｄｆ”の実体を保有していることを示している。ここで、オーナクライアント端末Ｔのアカウント情報として、クライアント端末１Ａ、１Ｂが一括して記載されているが、クライアント端末１Ａ、１Ｂが保有するリソースの実体情報を別個に記載することも可能である。
【００５３】
さらに、リソースの実体の所在を示すアドレス情報として、“ｎｅｔｐｃ：／ｆｏｌｄｅｒ／ｆｉｌｅ００１．ｐｄｆ”が記載されている。ｎｅｔｐｃは、ネットワークパソコンを表しており、本実施の形態においては、図１で示したＬＡＮ１に設置されたファイルサーバＦを表している。つまり、このファイルサーバＦが実体を保有する“ｆｉｌｅ００１．ｐｄｆ”を、クライアント端末１Ａ、１Ｂがともに共有リソース情報１２０Ｐ１に登録していることを示している。
【００５４】
次に、図５および図６で示した初期状態（Ｐ１）の中継グループ情報１００Ｐ１および共有リソース情報１２０Ｐ１に基づいて、図７で示した通信処理のシーケンスについて説明する。
【００５５】
クライアント端末２Ａは、ユーザから“ｆｉｌｅ００１．ｐｄｆ”のコピーの指示を受けると、中継サーバＲ２に複写要求（ＣｏｐｙＦｉｌｅコマンド）を送信する（ステップＳ１）。複写要求を受信した中継サーバＲ２は、複写対象となっている“ｆｉｌｅ００１．ｐｄｆ”を保有しているオーナクライアント端末１Ａ、１Ｂを、共有リソース情報１２０Ｐ１に基づいて選択する。そして、オーナクライアント端末１Ａ、１Ｂが接続されている中継サーバＲ１を中継グループ情報１００Ｐ１に基づいて選択する。
【００５６】
中継サーバＲ２は、選択した中継サーバＲ１に、外部サーバＳを介して、接続要求（ＩＮＶＩＴＥメソッド）を送信する（ステップＳ１．１）。接続要求を受信した中継サーバＲ１は、クライアント端末１Ａ、１Ｂのうち、クライアント端末１Ａを選択して、クライアント端末１Ａに複写要求を送信する（ステップＳ１．１．１）。
【００５７】
ここで、中継サーバＲ１が、クライアント端末１Ａ、１Ｂのうち、いずれかのクライアント端末Ｔを選択する方法として、以下のような方法が考えられる。例えば、中継サーバＲ１において、いずれのクライアント端末Ｔを優先して選択するかを、予め設定しておけばよい。または、乱数を用いて、いずれかのクライアント端末Ｔを自動選択してもよい。
【００５８】
複写要求を受信したクライアント端末１Ａは、複写対象となっている“ｆｉｌｅ００１．ｐｄｆ”の操作が可能であれば、ＯＫレスポンスを中継サーバＲ１に送信する。ＯＫレスポンスを受信した中継サーバＲ１は、中継サーバＲ２にＯＫレスポンスを転送する。
【００５９】
ＯＫレスポンスを受信した中継サーバＲ２は、中継サーバＲ１にＭｅｄｉａｓｅｓｓｉｏｎコマンドを送信する。ここに、中継サーバＲ１、Ｒ２間に通信経路が確立される（ステップＳ１．２）。Ｍｅｄｉａｓｅｓｓｉｏｎコマンドを受信した中継サーバＲ１は、クライアント端末１Ａにファイル取得要求（ＧｅｔＦｉｌｅＤａｔａコマンド）を送信する（ステップＳ１．２．１）。ファイル取得要求を受信したクライアント端末１Ａは、取得対象となっている“ｆｉｌｅ００１．ｐｄｆ”を、図１で示したＬＡＮ１に設置されたファイルサーバＦから取得して、中継サーバＲ１に送信する。そして、“ｆｉｌｅ００１．ｐｄｆ”は、中継サーバＲ１、Ｒ２を経由して、クライアント端末２Ａに送信される（ＦｉｌｅＴｒａｎｓｆｅｒコマンド）。
【００６０】
一連の通信処理が終わると、確立された通信経路を切断するために、中継サーバＲ２は、中継サーバＲ１に切断要求（ＢＹＥメソッド）を送信する（ステップＳ２）。
【００６１】
＜各クライアント端末の状況変化への対応＞
｛Ｐ２の状態の中継グループ情報および共有リソース情報｝
図１で示した中継通信システムは、異なるＬＡＮに接続された各クライアント端末Ｔの状況変化に柔軟に対応することが可能である。各クライアント端末Ｔの状況変化への対応について、以下に説明する。
【００６２】
まず、図８で示した通信処理のシーケンスについて説明する。クライアント端末１Ａは、ユーザからログオフの指示を受けると、中継サーバＲ１にログオフの登録要求（ＲＥＧＩＳＴＥＲメソッド）を送信する（ステップＳ３）。ログオフの登録要求を受信した中継サーバＲ１は、図５および図６で示した初期状態（Ｐ１）の中継グループ情報１００Ｐ１および共有リソース情報１２０Ｐ１を、図９および図１０で示すＰ２の状態の中継グループ情報１００Ｐ２および共有リソース情報１２０Ｐ２に変更する。この変更の内容については、後に詳述する。
【００６３】
中継サーバＲ１は、中継サーバＲ２に変更情報通知(ＮＯＴＩＦＹメソッド)を送信する（ステップＳ３．１）。中継グループ情報１００Ｐ２および共有リソース情報１２０Ｐ２を受信した中継サーバＲ２は、クライアント端末２Ａに状態情報変更要求（ＵｐｄａｔｅＲｅｓｏｕｒｃｅＳｔａｔｕｓコマンド）を送信する（ステップＳ３．１．１）。
【００６４】
同様にして、クライアント端末３Ａ、１Ｂは、それぞれ、中継サーバＲ３、Ｒ１から、状態情報変更要求を受信する（ステップＳ３．２、ステップＳ３．２．１、ステップＳ３．３）。ステップＳ３ないしステップＳ３．３が終了すると、中継サーバＲ１は、ＯＫレスポンスをクライアント端末１Ａに送信する。ここに、クライアント端末１Ａはログオフされることになる。
【００６５】
図９および図１０は、Ｐ２の状態の中継グループ情報１００Ｐ２および共有リソース情報１２０Ｐ２の内容を示す図である。図９で示した中継グループ情報１００Ｐ２と、図５で示した中継グループ情報１００Ｐ１との相違点として、中継グループ情報１００Ｐ２では、クライアント端末１Ａの状態情報の記載が、“ｌｏｇｏｎ”から“ｌｏｇｏｆｆ”に変更されている。このことは、Ｐ２の状態のおいては、クライアント端末１Ａがログオフされていることを示している。
【００６６】
しかし、図１０で示した共有リソース情報１２０Ｐ２と、図６で示した共有リソース情報１２０Ｐ１との相違点は見当たらない。Ｐ２の状態においては、クライアント端末１Ａがログオフされているが、再びログオンされることもありうるため、クライアント端末１Ａは、ファミリーアカウント情報１２４Ｐ２やファミリーリソース情報１２５Ｐ２から削除されていない。また、クライアント端末１Ｂはログオンされているため、クライアント端末１Ｂを通して、“ｆｉｌｅ００１．ｐｄｆ”の実体にアクセスすることは可能であり、“ｆｉｌｅ００１．ｐｄｆ”の状態情報には“ｏｋ”が記載されている。
【００６７】
次に、図９および図１０で示したＰ２の状態の中継グループ情報１００Ｐ２および共有リソース情報１２０Ｐ２に基づいて、図８で示したステップＳ４以降の通信処理のシーケンスについて説明する。
【００６８】
クライアント端末２Ａは、ユーザから“ｆｉｌｅ００１．ｐｄｆ”のファイルオープンの指示を受けると、中継サーバＲ２にファイルオープン要求（ＯｐｅｎＦｉｌｅコマンド）を送信する（ステップＳ４）。中継サーバＲ２は、“ｆｉｌｅ００１．ｐｄｆ”を保有しているオーナクライアント端末１Ａ、１Ｂを、共有リソース情報１２０Ｐ２に基づいて選択する。そして、オーナクライアント端末１Ａ、１Ｂが接続されている中継サーバＲ１を中継グループ情報１００Ｐ２に基づいて選択する。
【００６９】
中継サーバＲ２は、選択した中継サーバＲ１に、外部サーバＳを介して、接続要求（ＩＮＶＩＴＥメソッド）を送信する（ステップＳ４．１）。中継サーバＲ１は、クライアント端末１Ａ、１Ｂのうち、クライアント端末１Ｂを選択するしかなく、クライアント端末１Ｂにファイルオープン要求を送信する（ステップＳ４．１．１）。
【００７０】
ここで、中継サーバＲ１が、クライアント端末１Ａ、１Ｂのうち、クライアント端末１Ｂを選択するしかないのは、Ｐ２の状態においては、“ｆｉｌｅ００１．ｐｄｆ”のオーナクライアント端末Ｔは、クライアント端末１Ａ、１Ｂである。しかし、クライアント端末１Ａはログオフされているのに対して、クライアント端末１Ｂはログオンされているからである。
【００７１】
クライアント端末１Ｂは、“ｆｉｌｅ００１．ｐｄｆ”の操作が可能であれば、ＯＫレスポンスを中継サーバＲ１に送信する。中継サーバＲ１は、中継サーバＲ２にＯＫレスポンスを転送する。
【００７２】
中継サーバＲ２は、中継サーバＲ１にＭｅｄｉａｓｅｓｓｉｏｎコマンドを送信する。ここに、中継サーバＲ１、Ｒ２間に通信経路が確立される（ステップＳ４．２）。中継サーバＲ１は、クライアント端末１Ｂにファイル取得要求（ＧｅｔＦｉｌｅＤａｔａコマンド）を送信する（ステップＳ４．２．１）。クライアント端末１Ｂは、“ｆｉｌｅ００１．ｐｄｆ”を、図１で示したＬＡＮ１に設置されたファイルサーバＦから取得して、中継サーバＲ１に送信する。そして、“ｆｉｌｅ００１．ｐｄｆ”は、中継サーバＲ１、Ｒ２を経由して、クライアント端末２Ａに送信される（ＦｉｌｅＴｒａｎｓｆｅｒコマンド）。
【００７３】
一連の通信処理が終わると、確立された通信経路を切断するために、中継サーバＲ２は、中継サーバＲ１に切断要求（ＢＹＥメソッド）を送信する（ステップＳ５）。
【００７４】
｛Ｐ３の状態の中継グループ情報および共有リソース情報｝
クライアント端末１Ａ、１Ｂが順次ログオフされたり、リソースを共有するグループから除外されたりする場合に、図１で示した中継通信システムが、このような状況変化にどのように柔軟に対応するのかについて、以下に説明する。
【００７５】
まず、図１１で示した通信処理のシーケンスについて説明する。ステップＳ６ないしステップＳ８は、クライアント端末１Ａが、中継サーバＲ１のオペレータ等により、リソースを共有するグループから除外されるシーケンスを示している。中継サーバＲ１は、オペレータ等から、クライアント端末１Ａを除外する指示を受けると、図９および図１０で示したＰ２の状態の中継グループ情報１００Ｐ２および共有リソース情報１２０Ｐ２を、図１２および図１３で示すＰ３の状態の中継グループ情報１００Ｐ３および共有リソース情報１２０Ｐ３に変更する。この変更の内容については、後に詳述する。
【００７６】
中継サーバＲ１は、中継サーバＲ３に変更情報通知(ＮＯＴＩＦＹメソッド)を送信する（ステップＳ６）。中継グループ情報１００Ｐ３および共有リソース情報１２０Ｐ３を受信した中継サーバＲ３は、クライアント端末３Ａに状態情報変更要求（ＵｐｄａｔｅＲｅｓｏｕｒｃｅＳｔａｔｕｓコマンド）を送信する（ステップＳ６．１）。同様にして、クライアント端末２Ａ、１Ｂは、それぞれ、中継サーバＲ２、Ｒ１から、状態情報変更要求を受信する（ステップＳ７、ステップＳ７．１、ステップＳ８）。ここに、クライアント端末１Ａが、リソースを共有するグループから除外されることになる。
【００７７】
図１２および図１３は、Ｐ３の状態の中継グループ情報１００Ｐ３および共有リソース情報１２０Ｐ３の内容を示す図である。図１２で示した中継グループ情報１００Ｐ３と、図９で示した中継グループ情報１００Ｐ２との相違点として、中継グループ情報１００Ｐ３では、クライアント端末１Ａの記載が削除されている。このことは、Ｐ３の状態においては、クライアント端末１Ａが、リソースを共有するグループから除外されていることを示している。
【００７８】
また、図１３で示した共有リソース情報１２０Ｐ３と、図１０で示した共有リソース情報１２０Ｐ２との相違点として、共有リソース情報１２０Ｐ３では、クライアント端末１Ａが、ファミリーアカウント情報１２４Ｐ３やファミリーリソース情報１２５Ｐ３から削除されている。クライアント端末１Ａは、リソースを共有するグループから除外されており、また、除外されている状態では、“ｆｉｌｅ００１．ｐｄｆ”を共有リソース情報１２０Ｐ３に登録することはできないからである。しかし、クライアント端末１Ｂはログオンされているため、クライアント端末１Ｂを通して、“ｆｉｌｅ００１．ｐｄｆ”の実体にアクセスすることは可能であり、“ｆｉｌｅ００１．ｐｄｆ”の状態情報には“ｏｋ”が記載されている。
【００７９】
｛Ｐ４の状態の中継グループ情報および共有リソース情報｝
ステップＳ９ないしステップＳ９．２．１は、クライアント端末１Ｂが、ログオフされるシーケンスを示している。クライアント端末１Ｂは、ユーザからログオフの指示を受けると、中継サーバＲ１にログオフの登録要求（ＲＥＧＩＳＴＥＲメソッド）を送信する（ステップＳ９）。中継サーバＲ１は、図１２および図１３で示したＰ３の状態の中継グループ情報１００Ｐ３および共有リソース情報１２０Ｐ３を、図１４および図１５で示すＰ４の状態の中継グループ情報１００Ｐ４および共有リソース情報１２０Ｐ４に変更する。この変更の内容については、後に詳述する。
【００８０】
中継サーバＲ１は、中継サーバＲ２に変更情報通知(ＮＯＴＩＦＹメソッド)を送信する（ステップＳ９．１）。中継グループ情報１００Ｐ４および共有リソース情報１２０Ｐ４を受信した中継サーバＲ２は、クライアント端末２Ａに状態情報変更要求（ＵｐｄａｔｅＲｅｓｏｕｒｃｅＳｔａｔｕｓコマンド）を送信する（ステップＳ９．１．１）。
【００８１】
同様にして、クライアント端末３Ａは、中継サーバＲ３から、状態情報変更要求を受信する（ステップＳ９．２、ステップＳ９．２．１）。ステップＳ９ないしステップＳ９．２．１が終了すると、中継サーバＲ１は、ＯＫレスポンスをクライアント端末１Ｂに送信する。ここに、クライアント端末１Ｂはログオフされることになる。
【００８２】
図１４および図１５は、Ｐ４の状態の中継グループ情報１００Ｐ４および共有リソース情報１２０Ｐ４の内容を示す図である。図１４で示した中継グループ情報１００Ｐ４と、図１２で示した中継グループ情報１００Ｐ３との相違点として、中継グループ情報１００Ｐ４では、クライアント端末１Ｂの状態情報の記載が、“ｌｏｇｏｎ”から“ｌｏｇｏｆｆ”に変更されている。このことは、Ｐ４の状態においては、クライアント端末１Ｂがログオフされていることを示している。
【００８３】
また、図１５で示した共有リソース情報１２０Ｐ４と、図１３で示した共有リソース情報１２０Ｐ３を比較すると、共有リソース情報１２０Ｐ４では、クライアント端末１Ｂは、ファミリーアカウント情報１２４Ｐ４やファミリーリソース情報１２５Ｐ４から削除されていない。Ｐ４の状態においては、クライアント端末１Ｂはログオフされているが、再びログオンされることもありうるためである。しかし、クライアント端末１Ｂはログオフされているため、“ｆｉｌｅ００１．ｐｄｆ”の実体にアクセスすることは不可能であり、“ｆｉｌｅ００１．ｐｄｆ”の状態情報には“ｅｒｒｏｒ”が記載されている。
【００８４】
｛Ｐ５の状態の中継グループ情報および共有リソース情報｝
ステップＳ１０ないしステップＳ１１．１は、クライアント端末１Ｂが、中継サーバＲ１のオペレータ等により、リソースを共有するグループから除外されるシーケンスを示している。中継サーバＲ１は、オペレータ等から、クライアント端末１Ｂを除外する指示を受けると、図１４および図１５で示したＰ４の状態の中継グループ情報１００Ｐ４および共有リソース情報１２０Ｐ４を、図１６および図１７で示すＰ５の状態の中継グループ情報１００Ｐ５および共有リソース情報１２０Ｐ５に変更する。この変更の内容については、後に詳述する。
【００８５】
中継サーバＲ１は、中継サーバＲ２に変更情報通知(ＮＯＴＩＦＹメソッド)を送信する（ステップＳ１０）。中継グループ情報１００Ｐ５および共有リソース情報１２０Ｐ５を受信した中継サーバＲ２は、クライアント端末２Ａに状態情報変更要求（ＵｐｄａｔｅＲｅｓｏｕｒｃｅＳｔａｔｕｓコマンド）を送信する（ステップＳ１０．１）。同様にして、クライアント端末３Ａは、中継サーバＲ３から、状態情報変更要求を受信する（ステップＳ１１、ステップＳ１１．１）。ここに、クライアント端末１Ｂが、リソースを共有するグループから除外されることになる。
【００８６】
図１６および図１７は、Ｐ５の状態の中継グループ情報１００Ｐ５および共有リソース情報１２０Ｐ５の内容を示す図である。図１６で示した中継グループ情報１００Ｐ５と、図１４で示した中継グループ情報１００Ｐ４との相違点として、中継グループ情報１００Ｐ５では、クライアント端末１Ｂの記載が削除されている。このことは、Ｐ５の状態においては、クライアント端末１Ｂが、リソースを共有するグループから除外されていることを示している。
【００８７】
また、図１７で示した共有リソース情報１２０Ｐ５と、図１５で示した共有リソース情報１２０Ｐ４との相違点として、共有リソース情報１２０Ｐ５では、クライアント端末１Ｂが、ファミリーアカウント情報１２４Ｐ５やファミリーリソース情報１２５Ｐ５から削除されている。クライアント端末１Ｂは、リソースを共有するグループから除外されており、また、除外されている状態では、“ｆｉｌｅ００１．ｐｄｆ”を共有リソース情報１２０Ｐ５に登録することはできないからである。さらに、クライアント端末１Ｂは、リソースを共有するグループから除外されるため、“ｆｉｌｅ００１．ｐｄｆ”の実体を保有するクライアント端末Ｔはもはやそのグループには存在せず、“ｆｉｌｅ００１．ｐｄｆ”の実体情報が、ファミリーリソース情報１２５Ｐ５から削除されている。
【００８８】
図５ないし図１７で示した通信処理のシーケンス、中継グループ情報、共有リソース情報についての説明をまとめると、異なるＬＡＮに接続されたクライアント端末Ｔ間でリソースが共有される場合であっても、各クライアント端末Ｔは、他の各クライアント端末Ｔの状況変化についての情報をも取得することが可能である。また、各クライアント端末Ｔの状況変化に柔軟に対応しながら、異なるＬＡＮ間におけるリソースに対する操作を行うことが可能である。
【００８９】
｛異なるＬＡＮのクライアント端末から登録されたリソースの操作内容｝
図７、図８、図１１で示した通信処理のシーケンスでは、“ｆｉｌｅ００１．ｐｄｆ”の実体を保有するクライアント端末１Ａ、１Ｂは、同一のＬＡＮ１に接続されている。しかし、“ｆｉｌｅ００１．ｐｄｆ”の実体を保有するクライアント端末Ｔが、異なるＬＡＮに接続されている場合も考えられる。この場合であっても、図７で示したステップＳ１ないしステップＳ２と同様なリソース操作が可能である。
【００９０】
例えば、異なるＬＡＮに接続されているクライアント端末１Ａ、３Ａが、“ｆｉｌｅ００１．ｐｄｆ”の実体を保有している場合を考える。クライアント端末２Ａは、中継サーバＲ２に複写要求（ＣｏｐｙＦｉｌｅコマンド）を送信する。中継サーバＲ２は、“ｆｉｌｅ００１．ｐｄｆ”を保有しているオーナクライアント端末１Ａ、３Ａを、共有リソース情報１２０に基づいて選択する。そして、オーナクライアント端末１Ａ、３Ａが接続されている中継サーバＲ１、Ｒ３のうち、いずれかの中継サーバＲを、中継グループ情報１００に基づいて選択する。そして、選択した中継サーバＲに、外部サーバＳを介して、接続要求（ＩＮＶＩＴＥメソッド）を送信する。以降のリソース操作内容は、図７で示したステップＳ１．１ないしステップＳ２と同様である。
【００９１】
すなわち、中継サーバＲは、複数の中継サーバＲまたは複数のクライアント端末Ｔに対して、リソース操作を中継することが可能であれば、いずれかの１つの中継サーバＲまたはいずれか１つのクライアント端末Ｔを選択して、その中継サーバＲまたはそのクライアント端末Ｔに対して、リソース操作を中継することが可能である。
【図面の簡単な説明】
【００９２】
【図１】本実施の形態に係る中継通信システムのネットワーク構成図である。
【図２】外部サーバの機能ブロック図である。
【図３】通信装置の機能ブロック図である。
【図４】中継サーバの機能ブロック図である。
【図５】初期状態（Ｐ１）の中継グループ情報の内容を示す図である。
【図６】初期状態（Ｐ１）の共有リソース情報の内容を示す図である。
【図７】本実施の形態に係る通信処理のシーケンス図である。
【図８】本実施の形態に係る通信処理のシーケンス図である。
【図９】Ｐ２の状態の中継グループ情報の内容を示す図である。
【図１０】Ｐ２の状態の共有リソース情報の内容を示す図である。
【図１１】本実施の形態に係る通信処理のシーケンス図である。
【図１２】Ｐ３の状態の中継グループ情報の内容を示す図である。
【図１３】Ｐ３の状態の共有リソース情報の内容を示す図である。
【図１４】Ｐ４の状態の中継グループ情報の内容を示す図である。
【図１５】Ｐ４の状態の共有リソース情報の内容を示す図である。
【図１６】Ｐ５の状態の中継グループ情報の内容を示す図である。
【図１７】Ｐ５の状態の共有リソース情報の内容を示す図である。
【符号の説明】
【００９３】
Ｓ  外部サーバ
Ｔ  通信装置（クライアント端末）
Ｒ  中継サーバ
１００  中継グループ情報
１２０  共有リソース情報
【図１】
2008154101.tif 000003
【図２】
2008154101.tif 000004
【図３】
2008154101.tif 000005
【図４】
2008154101.tif 000006
【図５】
2008154101.tif 000007
【図６】
2008154101.tif 000008
【図７】
2008154101.tif 000009
【図８】
2008154101.tif 000010
【図９】
2008154101.tif 000011
【図１０】
2008154101.tif 000012
【図１１】
2008154101.tif 000013
【図１２】
2008154101.tif 000014
【図１３】
2008154101.tif 000015
【図１４】
2008154101.tif 000016
【図１５】
2008154101.tif 000017
【図１６】
2008154101.tif 000018
【図１７】
2008154101.tif 000019